(57)【要約】【課題】  表示パネルを大型化でき各種機器を取付けの自由度を向上できるとともに、表示を見易くして各種情報サービスを行なうことができる給油装置を提供する。【解決手段】  大人が給油エリア側から上に向いて見上げる高さを有する矩形箱型のハウジングで、下部側が給油機構１５を収納する機器ケースに形成され、この機器ケースの上部側が表示部ケースに形成された本体ケース１３を有する地上設置型のハウジング本体１１を備え、表示部ケースには、本体ケース１３の横幅で中央部から頂部までの操作面側に向かう縦長の全領域が表示パネル１６に形成されている。また、表示パネル１６には、顧客への情報サービス用の大型情報表示装置３１が取付けられる。【選択図】      図１
2005350110.tif 000002
【特許請求の範囲】
【請求項１】
大人が給油エリア側から上に向いて見上げる高さを有する矩形箱型のハウジングで、下部側が給油機構を収納する機器ケースに形成され、この機器ケースの上部側が表示部ケースに形成された本体ケースを有する地上設置型のハウジング本体を備え、前記表示部ケースには、前記本体ケースの横幅で中央部から頂部までの操作面側に向かう縦長の全領域が表示パネルに形成されていることを特徴とする給油装置。
【請求項２】
前記表示パネルには、給油量を表示する給油量表示器に加え、給油データ設定用機器が取付けられるとともに、顧客に対する情報サービスを提供する大型情報表示装置が取付けられていることを特徴とする請求項１項記載の給油装置。
【請求項３】
前記ハウジング本体は、前記本体ケースの上部側から下部側にかけて覆う形状に形成され、前記表示パネルが見えるように大きな開口部が形成されたカバー部を有することを特徴とする請求項１項記載の給油装置。
【請求項４】
前記カバー部は、下部側が前記表示パネルの下部から下に向かう程突出する形状の傾斜部に形成され、該傾斜部には、前記ハウジング本体の頂部側から吊り下げられた給油ホースの端部に設けられた給油ノズルを掛けるノズル掛けが設けられていることを特徴とする請求項３記載の給油装置。
【発明の詳細な説明】
【技術分野】
【０００１】
本発明は、表示パネルに設けられる各種機器の配置を容易にするとともに見易くできる給油装置に関するものである。
【背景技術】
【０００２】
近年の給油所に設置される給油装置は、その本体ケースの正面に設けられる表示パネルに、給油量を表示するための給油量表示器を配置する他に、給油単価、給油量及び給油金額等の給油設定データを入力するための各種機器、あるいはオイルやタイヤ等のキャンペーン情報、天気予報や交通情報等をサービスできる機器を取付けて顧客に対する信頼性を高め、売上向上を図ることができるようにしている。なお、本出願人は、本体ケースの表示パネルに、給油量を表示する表示器、給油設定データを入力するためのタッチパネル、紙幣読取機、カードリーダ／ライタ、プリンタ等の各種機器を取付けた給油装置を開示している（例えば、特許文献１参照。）。
【特許文献１】特開２００３−７２８９９号公報（第３〜６ページ、図１〜３）
【発明の開示】
【発明が解決しようとする課題】
【０００３】
しかしながら、従来の給油装置は、各種機器の数が多くなるとともに表示パネルに配置するスペースが限られ、特に、顧客自身が給油作業を行なうセルフサービス式の地上設置型の給油装置では、各種機器を操作するための表示が小さくて見にくくなり、操作を戸惑うおそれがあった。
【０００４】
本発明は上記事情に鑑みなされたもので、表示パネルを大型化でき各種機器の取付けの自由度を向上できるとともに、表示を見易くして各種情報サービスを行なうことができる給油装置を提供することを目的とする。
【課題を解決するための手段】
【０００５】
上記目的を達成するために請求項１に記載の発明にあっては、大人が給油エリア側から上に向いて見上げる高さを有する矩形箱型のハウジングで、下部側が給油機構を収納する機器ケースに形成され、この機器ケースの上部側が表示部ケースに形成された本体ケースを有する地上設置型のハウジング本体を備え、前記表示部ケースには、前記本体ケースの横幅で中央部から頂部までの操作面側に向かう縦長の全領域が表示パネルに形成されていることを特徴とするものである。表示パネルが本体ケースの横幅で中央部から頂部までの操作面側に向かう縦長の全領域に形成されているため、表示パネルを大型化でき各種機器の取付けの自由度を向上できるとともに、表示を見易くして各種情報サービスを行なうことができる。
【０００６】
請求項２に記載の発明にあっては、前記表示パネルには、給油量を表示する給油量表示器に加え、給油データ設定用機器が取付けられるとともに、顧客に対する情報サービスを提供する大型情報表示装置が取付けられていることを特徴とする。表示パネルが大型化できるため、各種機器に加えて大型情報表示装置を取付けて顧客に対して情報サービスを提供できる。
【０００７】
請求項３に記載の発明にあっては、前記ハウジング本体は、前記本体ケースの上部側から下部側にかけて覆う形状に形成され、前記表示パネルが見えるように大きな開口部が形成されたカバー部を有することを特徴とするものである。このカバー部により表示パネルを見易くできる。
【０００８】
請求項４に記載の発明にあっては、前記カバー部は、下部側が前記表示パネルの下部から下に向かう程突出する形状の傾斜部に形成され、該傾斜部には、前記ハウジング本体の頂部側から吊り下げられた給油ホースの端部に設けられた給油ノズルを掛けるノズル掛けが設けられていることを特徴とするものである。ノズル掛けを傾斜部に設けることで、給油ノズルの掛け外しが容易になり操作性を向上できる。
【発明の効果】
【０００９】
大人が給油エリア側から上に向いて見上げる高さを有する矩形箱型のハウジングで、下部側が給油機構を収納する機器ケースに形成され、この機器ケースの上部側が表示部ケースに形成された本体ケースを有する地上設置型のハウジング本体を備え、表示部ケースには、本体ケースの横幅で中央部から頂部までの操作面側に向かう縦長の全領域が表示パネルに形成されていることで、表示パネルを大型化でき各種機器の取付けの自由度を向上できるとともに、表示を見易くして各種情報サービスを行なうことができる。
【発明を実施するための最良の形態】
【００１０】
以下、本発明を図示の一実施形態により具体的に説明する。図１〜図３は本発明実施形態の給油装置を説明する図であり、図１は給油装置の正面図、図２は給油装置の側面図、図３は給油装置の機器構成を説明するブロック図である。
【００１１】
本実施形態の給油装置１０は、例えば、レギュラーガソリン、ハイオクガソリン及び軽油等のいずれかの油種を、給油エリアに面する正面側及び背面側から顧客あるいは従業員が操作して給油する地上設置型の装置であり、大人が給油エリア側から見上げる高さを有するハウジング本体１１を備えるものである。このハウジング本体１１は、アイランド上に設けられるベースプレート１２の上部に配置される本体ケース１３と、この本体ケース１３の上部側から下部側にかけて覆う形状に形成されたカバー部１４とから構成されている。この本体ケース１３内の下部側は、油種毎の給油ポンプや流量計等から構成される給油機構１５が収納された機器ケースに形成され、この機器ケースの上部側は、正面側及び背面側に後に詳細に説明する各種機器を取付けた表示パネル１６を有する表示部ケースに形成されており、給油エリアに対向する表示パネル１６側の正面側及び背面側が操作面側になっている。本体ケース１３の頂部側の正面側及び背面側には、油種毎の給油機構１５にそれぞれ配管で接続されたホース接続部１７が正面側及び背面側へ突出するよう取付けられている。それぞれのホース接続部１７の端部には、給油ノズル１９を有する給油ホース１８の一端部側が接続されて吊り下げられている。給油ノズル１９は、後に詳細に説明するカバー部１４に設けられたノズル掛け２０に掛けられるようになっている。このノズル掛け２０の近傍には、給油ノズル１０の掛け外しを検知するノズルスイッチ２１が取付けられている。
【００１２】
ハウジング本体１１の本体ケース１３は、例えば、横幅が１００〜１５０ｃｍ、奥行きが５０〜６０ｃｍ、高さが少なくとも大人が正面側または背面側の給油エリア側からやや上に向いて見上げる２００〜２５０ｃｍ程度で、ほぼ矩形箱型のハウジングに形成されている。この本体ケース１３の正面側及び背面側のほぼ横幅で中央部から頂部までの縦長の部分が、表示パネル１６の領域に形成されている。カバー部１４は、本体ケース１３の頂部側と左右側面側の角部とを覆う形状に形成され、下部側は表示パネル１６のやや下部から下に向かう程正面側及び背面側に突出する形状の傾斜部１４ａに形成され、この傾斜部１４ａの下端部が人の腰の下部側程度に位置し、かつ正面側及び背面側は表示パネル１６が見えるように大きな開口部１４ｂが形成されている。すなわち、ハウジング本体１１は、本体ケース１３の表示パネル１６がカバー部１４の開口部１４ｂから縦長に大きく見えるようになっている。カバー部１４の傾斜部１４ａには、それぞれのホース接続部１７から吊り下げられた給油ホース１８の端部に設けられた給油ノズル１９を掛けるノズル掛け２０が取付けられている。
【００１３】
本体ケース１３の表示部ケース内には、正面側及び背面側の表示パネル１６から見えるように、ほぼ中央部に給油機構１５の流量計で計数される給油量を表示するための給油量表示器２１が取付けられている。また、給油量表示器２１の下部側の表示パネル１６には、油種、給油量、給油料金等の給油データ設定用機器であるタッチパネル２２、給油料金精算用機器であるカードリーダ／ライタ２６、紙幣読取機２５、釣銭放出機２４及び給油伝票印字用のプリンタ２３、セルフサービスの場合に顧客を人体検知センサ２８で検知してスピーカ２９で給油案内を行なうための機器、あるいは人体に帯電した静電気を手で接触することで除去するための静電除去部２７、あるいは事務所の事務員と連絡するインターホーン３２等の他の機器が取付けられている。さらに、給油量表示器２１の上部側の表示パネル１６には、大型情報表示装置３１が取付けられている。この大型情報表示装置３１は、大型で見易い表示画面を有し、給油中の顧客に対して、交通情報、天気情報あるいは宣伝広告等のものである。また、表示部ケース内には、ノズルスイッチ２１の検知信号に基づいて給油機構１５を制御するとともに表示パネル１６に取付けられるカードリーダ２６、紙幣読取機２５、人体検知センサ２８、給油量表示器２１、タッチパネル２２、プリンタ２３、釣銭放出機２４、スピーカ２９及び大型情報表示装置３１の各部機器を全体的に制御する制御装置３０が収納されている。さらに、大型情報表示装置３１の上部の表面側及び裏面側にはそれぞれカメラ３３が取付けられている。カメラ３３は、それぞれ表面側及び裏面側の映像を反対側の大型情報表示装置３１に表示させることで表示パネル１６の反対側の顧客の操作状況等を見ることができるようにしている。
【００１４】
以上説明したように、上記構成の給油装置１０では、ハウジング本体１１の本体ケース１３の高さが少なくとも大人が正面側または背面側の給油エリア側からやや上に向いて見上げる程度で、ほぼ矩形箱型のハウジングに形成され、この本体ケース１３の正面側及び背面側のほぼ横幅で中央部から頂部までの縦長の部分が、表示パネル１６の領域に形成され、かつカバー部１４は、表示パネル１６が見えるように開口部１４ｂが形成されているため、表示パネル１６を大型化でき給油データ設定用機器、給油料金精算用機器あるいはその他の機器等の取付けの自由度を向上できるとともに、表示を見易くすることができる。さらに、この大型の表示パネル１６に、大型で見易い表示画面を有する大型情報表示装置３１を取付けることで、給油中の顧客に対して、交通情報、天気情報あるいは宣伝広告の情報サービスの提供を行なうことができる。さらに、カバー部１４は、下部側が表示パネル１６のやや下部から下に向かう程正面側及び背面側に突出する形状の傾斜部１４ａに形成され、この傾斜部１４ａにノズル掛け２０が取付けられているこいとで、給油ノズル１９が取り易い場所に位置し、掛け外しが容易になり操作性を向上できる。
【００１５】
なお、上記実施形態において、ハウジング本体１１の高さが少なくとも大人が給油エリア側から上に向いて見上げる高さを有する矩形箱型のハウジングに形成されていればよく、横幅や奥行きは実施形態に限定されず、給油できる油種も任意にできる。また、カバー部１４は、本体ケース１３と一体的に形成することもできる。さらに、表示パネル１６に取付けられる機器は、給油量表示器２１以外に、給油データ設定用機器あるいは給油料金精算用の各種機器を取付けることができる。
【産業上の利用可能性】
【００１６】
表示パネルに設けられる各種機器の配置を容易にするとともに見易くできる給油装置に利用することができる。
【図面の簡単な説明】
【００１７】
【図１】本発明実施形態の給油装置の正面図である。
【図２】本発明実施形態の給油装置の側面図である。
【図３】本発明実施形態の給油装置の機器構成を説明するブロック図である。
【符号の説明】
【００１８】
１０  給油装置
１１  ハウジング本体
１２  ベースプレート
１３  本体ケース
１４  カバー部
１４ａ  傾斜部
１４ｂ  開口部
１５  給油機構
１６  表示パネル
１７  ホース接続部
１８  給油ホース
１９  給油ノズル
２０  ノズル掛け
２１  ノズルスイッチ
２２  タッチパネル
２３  プリンタ
２４  釣銭放出機
２５  紙幣読取機
２６  カードリーダ／ライタ
２７  静電除去部
２８  人体検知センサ
２９  スピーカ
３０  制御装置
３１  大型情報表示装置
３２  インターホーン
３３  カメラ
【図１】
2005350110.tif 000003
【図２】
2005350110.tif 000004
【図３】
2005350110.tif 000005